(57)【要約】【課題】人手を要せず、室内を汚したりすることなく容易にエアーを抜くことができ、しかもエアーを確実に抜くことができる温水端末器のエアー抜き装置を提供する。【解決手段】温水入口３から流入した温水が内部を通って温水出口４から出るように温水が循環することにより放熱する温水端末器Ａである。これにおいて、前記温水端末器Ａのエアー溜まりとなる位置の上部と前記温水端末器Ａの温水出口４の近傍との間を連通させるエアー抜き管２０を温水端末器Ａの外部を通して配管する。前記エアー溜まりとなる位置のエアーを前記エアー抜き管２０を介して外部に抜くためにエアーを前記温水出口４側に導くエアー導出手段を設ける。【選択図】        図１
2004353884.tif 000002
【特許請求の範囲】
【請求項１】
温水入口から流入した温水が内部を通って温水出口から出るように温水が循環することにより放熱する温水端末器において、前記温水端末器のエアー溜まりとなる位置の上部と前記温水端末器の温水出口の近傍との間を連通させるエアー抜き管を前記温水端末器の外部を通して配管し、前記エアー溜まりとなる位置のエアーを前記エアー抜き管を介して外部に抜くためにエアーを前記温水出口側に導くエアー導出手段を設けたことを特徴とする温水端末器のエアー抜き装置。
【請求項２】
温水入口から流入した温水が内部を通って温水出口から出るように温水が循環することにより放熱する温水端末器において、上下の水平な横管と上下の横管を連通させる複数本の縦管とで前記温水端末器を構成し、前記温水端末器のエアー溜まりとなる上の横管の内の上部から前記温水端末器の下の横管の温水出口の近傍に至るようにエアー抜き管を配管し、前記エアー溜まりとなる上の横管内のエアーを前記エアー抜き管を介して外部に抜くためにエアーを前記温水出口側に導くエアー導出手段を設けたことを特徴とする温水端末器のエアー抜き装置。
【請求項３】
前記エアー抜き管の上端は上の横管の外面から横管を貫通させて横管内に導入され、上の横管と下の横管との間では縦管の外部の背面に沿わせるように前記エアー抜き管が配管されたことを特徴とする請求項２記載の温水端末器のエアー抜き装置。
【請求項４】
前記温水端末器の温水出口近傍にオリフィスを設け、このオリフィスにてオリフィスの下流側に前記エアー導出手段となる減圧部を構成し、減圧部にてエアー抜き管からエアーを吸い込むようにしたことを特徴とする請求項１乃至請求項３のいずれかに記載の温水端末器のエアー抜き装置。
【発明の詳細な説明】
【０００１】
【発明の属する技術分野】
本発明は、温水を循環させて暖房したり、乾燥したりする温水端末器においてエアー溜まりができないようにエアーを抜くエアー装置に関するものである。
【０００２】
【従来の技術】
従来、温水端末器Ａの一例としての暖房用の放熱器Ａ１は図６に示すように構成されていた。放熱器Ａ１は左右の両側の縦管１と両側の縦管１間に水平に架設した複数本の横管２とで構成されており、横管２の両端を両側の縦管１に連結して連通させてある（例えば、特許文献１参照）。一方の縦管１の下端には温水入口３を設けてあり、他方の縦管１の下端には温水出口４を設けてある。縦管１の上端は袋ナットのような蓋５にて閉塞してあるが、温水出口４がある縦管１の上端の蓋５の部分にはエアー抜きバルブ６を設けてある。
【０００３】
この温水端末器Ａとしての放熱器Ａ１に温水を供給する熱源機Ｂは屋外等に設置され、熱源機Ｂは熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁１２を開閉して貯水タンク８内を一定の水位に保つことができるようになっている。貯水タンク８の上部は大気開放口１３で大気に開放してある。この貯水タンク８は、温水往路管１４を通して放熱器Ａ１の温水入口３に連通させてあり、放熱器Ａ１の温水出口４が温水復路管１５を通して、貯水タンク８に連通させてある。温水往路管１４には循環ポンプ９と熱交換器７と熱動弁１６を順に配置してある。
【０００４】
図６のように施工した状態で図７に示すように自動試運転するが、自動試運転時には給水バルブ１１が開になり、水が給水管１０から貯水タンク８に供給される。貯水タンク８の水は循環ポンプ９により熱交換器７に入り、熱交換器７で加熱された温水が熱動弁１６を通り、放熱器Ａ１の温水入口３に入り、放熱器Ａ１の温水通路を通り、温水出口４から貯水タンク８に戻る。このようなサイクルで自動試運転するが、放熱器Ａ１内にあった空気は完全に抜けないので放熱器Ａ１の上部にエアー溜まりができる。このエアー溜まりができると温度分布が均一にならないため、このエアーを外部に抜く必要があるが、このとき図８に示すようにエアー抜きバルブ６を開放し、エアーを抜き、その後、エアー抜きバルブ６を閉塞する。エアー抜き作業を行い貯水タンク８の水位変動が無ければ水張りが完了し、熱交換器７による加熱により放熱器Ａ１の温度上昇があれば自動試運転が完了する。自動試運転を終了して通常の使用状態にしたときは、貯水タンク８内の水が循環ポンプ９により熱交換器７に入り、熱交換器７で加熱された温水が熱動弁１６を通り、放熱器Ａ１の温水入口３に入り、放熱器Ａ１の温水通路を通り、温水出口４から貯水タンク８に戻るようなサイクルで温水が循環し、放熱器Ａ１からの放熱にて暖房される。
【０００５】
【特許文献１】
特開２００２−１６２０５０号公報
【０００６】
【発明が解決しようとする課題】
ところで、上記従来例にあっては、エアー抜きバルブ６を開閉してエアーを抜くために次のような問題がある。
（１）エアー抜き作業をするとき、１人の作業者が熱源機Ｂを運転し、他の１人の作業者がエアー抜きバルブ６を開閉する作業をしなければならなく、エアー抜き作業が２人作業となって人手を要するという問題がある。
（２）エアー抜きバルブより飛散した温水により室内に汚れが発生するという問題がある。
（３）エアー抜きを行うとき、エアー抜きバルブ６の閉塞のタイミングがずれた場合、エアー抜き不足が発生するという問題がある。
（４）エアー抜き不十分な場合、循環ポンプ９を停止したときに、放熱器Ａ１の水位と貯水タンク８の水位は同じになって貯水タンク８に戻り、貯水タンク８の大気開放口１３から温水がオーバーフローするという問題がある。
（５）エアー抜きバルブ６の閉塞が不十分であると上部にエアー溜まりができて温水端末器Ａとしての放熱器Ａ１の温度分布が悪くなる。
【０００７】
本発明は上記の点に鑑みてなされたものであり、人手を要せず、室内を汚したりすることなく容易にエアーを抜くことができ、しかもエアーを確実に抜くことができる温水端末器のエアー抜き装置を提供することを課題とするものである。
【０００８】
【課題を解決するための手段】
上記課題を解決するための本発明の温水端末器のエアー抜き装置は、温水入口３から流入した温水が内部を通って温水出口４から出るように温水が循環することにより放熱する温水端末器Ａにおいて、前記温水端末器Ａのエアー溜まりとなる位置の上部と前記温水端末器Ａの温水出口４の近傍との間を連通させるエアー抜き管２０を前記温水端末器Ａの外部を通して配管し、前記エアー溜まりとなる位置のエアーを前記エアー抜き管２０を介して外部に抜くためにエアーを前記温水出口４側に導くエアー導出手段を設けたことを特徴とする。
【０００９】
上記のように構成したことにより、温水端末器Ａに温水を循環させるときエアー溜まりとなる位置のエアーをエアー抜き管２０を介して温水出口４側に導いて温水出口４から外部にエアーを抜くことができる。これにより従来のようなエアー抜きバルブ６の開閉の操作が必要なく、エアー抜き作業に人手を要したり、エアー抜きバルブ６の開閉操作によりエアー抜き不足を発生したり、また室内に温水が飛散して汚れが発生したり、エアー抜き不足により温度分布が悪くなったりしない。またエアー抜き管２０を温水端末器Ａの外部に沿って配管したことにより、エアー抜き管２０を容易に配管できて組み立て性を向上できると共に所定位置に正確に配管することができる。つまり、エアー抜き管２０を温水端末器Ａ内に挿通する場合、内部の管路が曲がっていたりすると挿通するのが困難であると共に正確に所定位置に挿通できない（殊にエアー抜き管２０の上端をエアー溜まりの上部の所定位置に位置させることが困難である）が、上記のようにエアー抜き管２０を温水端末器Ａの外部に配管すると、エアー抜き管２０の配管が容易にできると共に所定位置に正確に配管できる。
【００１０】
また温水入口３から流入した温水が内部を通って温水出口４から出るように温水が循環することにより放熱する温水端末器Ａにおいて、上下の水平な横管２と上下の横管２を連通させる複数本の縦管１とで前記温水端末器Ａを構成し、前記温水端末器Ａのエアー溜まりとなる上の横管２の内の上部から前記温水端末器Ａの下の横管２の温水出口４の近傍に至るようにエアー抜き管２０を配管し、前記エアー溜まりとなる上の横管２内のエアーを前記エアー抜き管２０を介して外部に抜くためにエアーを前記温水出口４側に導くエアー導出手段を設けたことを特徴とすることも好ましい。
【００１１】
この場合も、温水端末器Ａに温水を循環させるときエアー溜まりとなる位置のエアーをエアー抜き管２０を介して温水出口４側に導いて温水出口４から外部にエアーを抜くことができる。これにより従来のようなエアー抜きバルブ６の開閉の操作が必要なく、エアー抜き作業に人手を要したり、エアー抜きバルブ６の開閉操作によりエアー抜き不足を発生したり、また室内に温水が飛散して汚れが発生したり、エアー抜き不足により温度分布が悪くなったりしない。また上の横管２内にエアーを集めて上の横管２から効果的にエアーを抜くことができ、エアー抜き不足を生じることなく、エアーを確実に抜くことができる。
【００１２】
また前記エアー抜き管２０の上端は上の横管２の外面から横管２を貫通させて横管２内に導入され、上の横管２と下の横管２との間では縦管１の外部の背面に沿わせるように前記エアー抜き管２０が配管されたことを特徴とすることも好ましい。
【００１３】
上記のように構成したことにより、エアー抜き管２０の上端を横管２内に導入するとき横管２の外から容易に挿通して所定の位置まで正確に挿通できて精度を向上できる。また上の横管２と下の横管２との間ではエアー抜き管２０は温水端末器Ａの外部に配管されるが、エアー抜き管２０を縦管１の外部の背面に沿わせることにより外観上見えないようにできて外観を向上できる。
【００１４】
また前記温水端末器Ａの温水出口４近傍にオリフィス２２を設け、このオリフィス２２にてオリフィス２２の下流側に前記エアー導出手段となる減圧部２１を構成し、減圧部２１にてエアー抜き管２０からエアーを吸い込むようにしたことを特徴とすることも好ましい。
【００１５】
この場合、温水が循環することでオリフィス２２の下流側にエアー導出手段となる減圧部２１を形成し、この減圧部２１にてエアーを吸い込んでエアーを抜くことができる。これにより温水の循環にてエアー導出手段となる減圧部２１を形成できてエアーを簡単且つ確実に抜くことができる。また減圧部２１に抜いたエアーを温水の循環で導いて外部にスムーズに放出することができる。またエアー抜き作業時以外の通常の使用時にもエアー抜きが自動的にできる。これにより温水端末器Ａにエアーが溜まることがなく、温水端末器Ａの温度分布を均一にできる。
【００１６】
【発明の実施の形態】
本例の場合も、温水端末器Ａは暖房用の放熱器Ａ１である。図１に示すように垂直方向を向く複数本の縦管１と上下の横管２とで構成されており、複数本の縦管１の上下方向の端部を夫々上下の横管２に連結して連通させてある。下の横管２には温水入口３と温水出口４とを設けてあり、この温水入口３と温水出口４との間で横管２は仕切り板２４にて仕切ってある。複数本の縦管１うち下端が下の横管２を介して温水入口３に連通する縦管１が往路用縦管１ａとなっており、下端が下の横管２を介して温水出口４に連通する縦管１が復路用縦管１ｂとなっている。
【００１７】
上の横管２から下の横管２の温水出口４に至るまでの間にエアー抜き管２０を配管してある。このエアー抜き管２０は上の横管２と下の横管２との間では放熱器Ａ１の外部を通すように配管してある。エアー抜き管２０の上部は横管２の下部から横管２内に挿通してあり、エアー抜き管２０の上端は横管２内の上部の内面との間に僅か間隔を隔ててある。このエアー抜き管２０の上部を横管２に接続するとき、具体的には例えば、横管２の下部に設けた貫通孔からエアー抜き管２０の上部を挿通してエアー抜き管２０の上端を横管２内の上部の内面に当接し、この状態からエアー抜き管２０を僅かに引いてエアー抜き管２０の上端を横管２内の上部の内面から僅かに離し、この状態で貫通孔の部分でエアー抜き管２０を溶接で横管２に固定することができる。このようにすることでエアー抜き管２０を所定の位置に正確に取り付けることができる。本例の場合、エアー抜き管２０の上部は一側端に位置する復路用縦管１ｂの上端に対応する位置で上に位置する横管２に挿通してあり、エアー抜き管２０上の横管２に挿通した部分より下方の部分は復路用縦管１ｂの外部の背面に沿わせてあり、この復路用縦管１ｂの下端部分でエアー抜き管２０は直角に曲げられて下の横管２と平行に沿わせ、温水出口４に対応する部分で下の横管２にエアー抜き管２０の下部が挿通されている。
【００１８】
温水出口４の部分には管路を絞るオリフィス２２を設けてあり、オリフィス２２の下流側には減圧部２１を形成してある。上記エアー抜き管２０の下端部はオリフィス２２に貫通しており、エアー抜き管２０の下端が減圧部２１に開放されている。本例の場合、オリフィス２２の下流側の減圧部２１がエアー抜き管２０を介してエアーを導くエアー導出手段となっている。
【００１９】
この温水端末器Ａとしての放熱器Ａ１に温水を供給する熱源機Ｂは屋外等に設置され、熱源機Ｂは従来例と同様に熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁１２を開閉して貯水タンク８内を一定の水位に保つことができるようになっている。貯水タンク８の上部は大気開放口１３で大気に開放してある。放熱器Ａ１の温水入口３と貯水タンク８とは温水往路管１４にて連通させてあり、放熱器Ａ１の温水出口４と貯水タンク８とは温水復路管１５にて連通させてある。温水往路管１４には循環ポンプ９と熱交換器７と熱動弁１６を順に配置してある。上記熱交換器７は例えばガスの燃焼熱と熱交換するようになっているが、電気的に得られる熱と熱交換するものであってもよい。また熱交換器７でなく、電気的に加熱されるヒータをタンクに内装した加熱器であってもよい。上記熱源機Ｂは図の例では放熱器Ａ１だけに接続してあるように図示してあるが、床暖房装置、タオル乾燥器等の温水端末器Ａにも同時に接続してある。
【００２０】
図３のように温水端末器Ａとしての放熱器Ａ１が施工された後、自動試運転される。自動試運転時には給水バルブ１１が開になり、水が給水管１０から貯水タンク８に供給される。貯水タンク８の水は循環ポンプ９により熱交換器７に入り、熱交換器７で加熱された温水が熱動弁１６を通り、放熱器Ａ１の温水入口３に入り、放熱器Ａ１の下の横管２から往路用縦管１ａを通り、往路用縦管１ａから上の横管２を通り、上の横管２から復路用縦管１ｂを通り、復路用縦管１ｂから下の横管２を介して温水出口４を通り、温水出口４から貯水タンク８に戻る。このようなサイクルで自動試運転するが、放熱器Ａ１内にあったエアーは抜けないので放熱器Ａ１の上部にエアーが溜まるが、このエアーは次のように抜かれる。
【００２１】
温水が循環するとき、オリフィス２２を通って温水が温水出口４から出て行くが、オリフィス２２を通過するとき温水が絞られて流れ、オリフィス２２の上流側が高圧となると共にオリフィス２２の下流側が低圧となり、オリフィス２２の下流側に減圧部２１が形成される。一方、放熱器Ａ１内のエアーは圧縮されて高圧になり、減圧部２１との差圧にてエアー抜き管２０にエアーが流れる。つまり、図５に示すように減圧部２１からエアー抜き管２０を介してエアーを吸い込むようにエアーが減圧部２１に導かれる。減圧部２１に導かれたエアーが温水出口４から出る温水の流れにて温水出口４から出て行き、温水復路管１５、熱交換器７、貯水タンク８を通り、大気開放口１３から外部に排出される。このとき、上の横管２内の上部にエアー抜き管２０の上端が位置してエアーが抜かれるのでエアーを上の横管２内に集めて上の横管２からエアーが確実に抜かれる。このようにしてエアー溜まりができないようにエアーが抜かれた後、貯水タンク８の水位変動がなければ図４に示すように水張りを完了し、熱交換器７による加熱により温水端末器Ａとしての放熱器Ａ１に温度上昇があれば自動試運転は完了する。
【００２２】
上記のように放熱器Ａ１の上部にエアー溜まりができないようにエアーを抜くために従来のようなエアー抜きバルブ６の開閉操作が必要なく、エアー抜き作業に人手を要したり、エアー抜きバルブ６の開閉操作によりエアー抜き不足を発生したり、また室内に温水が飛散して汚れが発生したり、エアー抜き不足により温度分布が悪くなったりしない。
【００２３】
自動試運転を終了して通常の使用状態にしたときは、給水タンク８の水が循環ポンプ９により熱交換器７に入り、熱交換器７で加熱された温水が熱動弁１６を通り、放熱器Ａ１の温水入口３に入り、放熱器Ａ１の下の横管２から往路用縦管１ａを通り、往路用縦管１ａから上の横管２を通り、上の横管２から復路用縦管１ｂを通り、復路用縦管１ｂから下の横管２を介して温水出口４を通り、温水出口４から貯水タンク８に戻るようなサイクルで温水が循環し、放熱器Ａ１からの放熱にて室内が暖房される。この通常の使用状態でも循環する温水がオリフィス２２を通り、たとえ、放熱器Ａ１の上の横管２にエアーが溜まる事態が生じてもエアーが自動的に抜かれる。またエアー溜まりがない場合、上記エアー抜き管２０を上記差圧にて温水が流れ、放熱器Ａ１の上部に円滑に温水が循環し、放熱器Ａ１全体の温度分布が均一になる。
【００２４】
なお、上記例では温水端末器Ａとして放熱器Ａ１の例について述べたが、その他タオル乾燥器等の温水端末器Ａでも同様に実施できる。また上記例ではオリフィス２２を設けることで温水の流れに減圧部２１を形成し、この減圧部２１にてエアーを吸い込む例について述べたが、オリフィス２２にて減圧部２１を形成するものに限定されず、減圧弁等のその他の手段で減圧部２１を形成してエアーを吸い込むものであってもよい。さらに上記例では減圧部２１による吸い込みにてエアー抜き管２０からエアーを抜く例について述べたが、エアー抜き管２０を介してエアーを導くことができるならどのような手段を用いてもよい。つまり、エアー導出手段としては減圧部２１に限定されず、負圧源等を用いてもよい。
【００２５】
【発明の効果】
本発明の請求項１や請求項２の発明は、温水端末器に温水を循環させるときエアー溜まりとなる位置のエアーをエアー抜き管を介して温水出口側に導いて温水出口から外部にエアーを抜くことができものであって、従来のようなエアー抜きバルブの開閉の操作が必要なく、エアー抜き作業に人手を要したり、エアー抜きバルブの開閉操作によりエアー抜き不足を発生したり、また室内に温水が飛散して汚れが発生したり、エアー抜き不足により温度分布が悪くなったりしないものであり、エアーを簡単且つ確実に抜くことができるものである。
【００２６】
しかも本発明の請求項１の発明は、エアー抜き管を温水端末器の外部に沿って配管したことにより、エアー抜き管を容易に配管できて組み立て性を向上できると共に所定位置に正確に配管することができるものである。
【００２７】
さらに本発明の請求項２の発明は、上の横管内にエアーを集めて上の横管から効果的にエアーを抜くことができ、エアー抜き不足を生じることなく、エアーを確実に抜くことができるものである。
【００２８】
また本発明の請求項３の発明は、エアー抜き管の上端を横管内に導入するとき横管の外から容易に挿通して所定の位置まで正確に挿通できて精度を向上できるものであり、さらにエアー抜き管を縦管の外部の背面に沿わせることにより外観上見えないようにできて外観を向上できるものである。
【００２９】
また本発明の請求項４の発明は、温水が循環することでオリフィスの下流側にエアー導出手段となる減圧部を形成し、この減圧部にてエアーを吸い込んでエアーを抜くことができるものであって、温水の循環にてエアー導出手段となる減圧部を形成できてエアーを簡単且つ確実に抜くことができるものであり、また減圧部に抜いたエアーを温水の循環で導いて外部にスムーズに放出することができるものであり、さらにエアー抜き作業時以外の通常の使用時にもエアー抜きが自動的にできるものであって、温水端末器にエアーが溜まることがなく、温水端末器の温度分布を均一にできるものである。
【図面の簡単な説明】
【図１】本発明の温水端末器の一例を示し、（ａ）は正面図、（ｂ）は側面図、（ｃ）は背面図である。
【図２】（ａ）は図１（ｂ）のＸ部拡大断面図、（ｂ）は図１（ａ）のＹ部拡大断面図である。
【図３】同上の温水端末器を施工した状態の断面図である。
【図４】同上の自動試運転した状態の断面図である。
【図５】同上のオリフィスでエアーを導出している状態を説明する断面図である。
【図６】従来例の施工した状態の断面図である。
【図７】同上の自動試運転した状態の断面図である。
【図８】同上のエアー抜き作業時の状態の断面図である。
【符号の説明】
Ａ  温水端末器
Ａ１  放熱器
１  縦管
２  横管
３  温水入口
４  温水出口
２０  エアー抜き管
２１  減圧部
２２  オリフィス
【図１】
2004353884.tif 000003
【図２】
2004353884.tif 000004
【図３】
2004353884.tif 000005
【図４】
2004353884.tif 000006
【図５】
2004353884.tif 000007
【図６】
2004353884.tif 000008
【図７】
2004353884.tif 000009
【図８】
2004353884.tif 000010